(57)【要約】【課題】狭い空間にいながら無限に感じる空間を得ることができ、生活空間と一体となった場を提供できるエンタテイメントシステム装置を提供する。【解決手段】フラットパネルディスプレイ（ＦＰＤ）２で窓を構成し、窓枠２ａにはスピーカが埋め込まれ、カーテンレール３にはカーテン開閉駆動回路並びに温度・湿度・空気清浄をコントロールするエアコンディショナ機能を内蔵させている。このため、狭い空間にいながら無限の空間を手にすることができるほか、快適な生活環境を有することができる。また、手元には情報入力装置があり、画像、オーディオの入力設定（入力ソース、オン時間、オフ時間、明るさ、音量等々）やエアコンディショナの条件を設定できるほか、当然マニュアルでも操作が可能である。【選択図】      図１
2005210169.tif 000002
【特許請求の範囲】
【請求項１】
複数の入力画像から画像セレクト信号に応じた画像を選択する画像選択手段と、
複数の供給音からオーディオセレクト信号に応じた音を選択するオーディオ選択手段と、
少なくとも画像およびオーディオの入力条件を設定可能な情報入力装置と、
上記情報入力装置によって設定された画像の表示条件に応じて選択すべき供給画像を指定する上記画像セレクト信号を上記画像選択手段に出力し、上記情報入力装置によって設定された発出条件に応じて選択すべき供給音を指定するオーディオセレクト信号を上記オーディオ選択手段に出力し、優先画像信号または／および優先音信号の入力があると、上記画像選択手段または／およびオーディオ選択手段に、上記供給画像または／および供給音に優先して優先画像または／および優先音を所定時間選択させる制御手段と、
画像表示手段を有し、上記画像選択手段で選択された供給画像または優先画像に対して所定の処理を施して、上記情報入力装置によって設定された条件に従って上記画像表示手段に表示させる画像信号処理表示手段と、
オーディオ発出手段を有し、上記オーディオ選択手段で選択された供給音または優先音に対して所定の処理を施して、上記情報入力装置によって設定された条件に従って上記オーディオ発出手段の放音させるオーディオ信号処理放音手段と
を有するエンタテイメントシステム装置。
【請求項２】
上記画像表示手段の周辺の空気の状態を変更可能なエアコンディショナ機能を有し、
上記情報入力装置は、空気条件を設定可能で、
上記制御手段は、上記情報入力装置によって設定された空気条件に応じて上記エアコンディショナ機能を稼働させる
請求項１記載のエンタテイメントシステム装置。
【請求項３】
上記画像表示手段の表示画面を窓として覆うことが可能なカーテンと、
上記カーテンを自動開閉するカーテン開閉駆動手段と、を有し、
上記制御手段は、上記情報入力装置によって供給画像の選択指示に応じて上記画像選択手段に画像を選択させる場合および上記優先画像の入力がある場合に、上記カーテン開閉駆動手段により上記カーテンを開放させる
請求項１記載のエンタテイメントシステム装置。
【請求項４】
上記画像表示手段の表示画面を窓として覆うことが可能なカーテンと、
上記カーテンを自動開閉するカーテン開閉駆動手段と、を有し、
上記制御手段は、上記情報入力装置によって供給画像の選択指示に応じて上記画像選択手段に画像を選択させる場合および上記優先画像の入力がある場合に、上記カーテン開閉駆動手段により上記カーテンを開放させる
請求項２記載のエンタテイメントシステム装置。
【請求項５】
上記画像表示手段の表示画面側を開閉可能に設けられた窓枠と、
上記制御手段は、上記情報入力装置によって供給画像の選択指示に応じて上記画像選択手段に画像を選択させる場合および上記優先画像の入力がある場合に、上記窓枠を所定の度合いをもって開放させる
請求項２記載のエンタテイメントシステム装置。
【請求項６】
上記画像表示手段の表示画面側を開閉可能に設けられた窓枠と、
上記制御手段は、上記情報入力装置によって供給画像の選択指示に応じて上記画像選択手段に画像を選択させる場合および上記優先画像の入力がある場合に、上記窓枠を所定の度合いをもって開放させる
請求項４記載のエンタテイメントシステム装置。
【請求項７】
上記窓枠の開閉度合いを検出する開閉度合い検出手段を有し、
上記制御手段は、上記開閉度合いの検出結果に応じて、上記エアコンディショナ機能による風量または／および上記オーディオ発出手段が発出する音量を可変とする
請求項５記載のエンタテイメントシステム装置。
【請求項８】
上記窓枠の開閉度合いを検出する開閉度合い検出手段を有し、
上記制御手段は、上記開閉度合いの検出結果に応じて、上記エアコンディショナ機能による風量または／および上記オーディオ発出手段が発出する音量を可変とする
請求項６記載のエンタテイメントシステム装置。
【請求項９】
上記制御手段は、上記情報入力装置によって供給画像の選択指示がない場合および上記優先画像の入力がない場合には、上記画像信号処理表示手段の駆動パワーがオフとなるように制御する
請求項１記載のエンタテイメントシステム装置。
【請求項１０】
上記制御手段は、上記情報入力装置によって供給音の選択指示がない場合および上記優先音の入力がない場合には、上記オーディオ信号処理放音手段の駆動パワーがオフとなるように制御する
請求項１記載のエンタテイメントシステム装置。
【請求項１１】
上記情報入力手段は、優先画像または／および優先音を優先的に選択する時間を設定可能で、
上記制御手段は、上記情報入力手段のよって設定された時間、上記優先画像または／および優先音を優先的に選択させる
請求項１記載のエンタテイメントシステム装置。
【請求項１２】
画像選択手段または／およびオーディオ選択手段の出力信号を記録再生できる
請求項１記載のエンタテイメントシステム装置。
【発明の詳細な説明】
【技術分野】
【０００１】
本発明は、画像表示機能およびオーディオ発出機能を備えたエンタテイメントシステム装置に関するものである。
【背景技術】
【０００２】
画像表示装置、オーディオ発出装置、エアコンディショナ等は既に商品化しているが、それらはその機能を果たすための商品である。
また、ＬＣＤやプラズマディスプレイを用いたテレビジョン（ＴＶ）セットは一般に据え置き型で従来のＣＲＴに変わるものに留まっていて、一歩進んだ利用方法は見られない。
さらに場所を確保するため、特に日本などにおいて狭い生活空間で場所を取らない壁掛けＴＶが一部実用化されている。
【発明の開示】
【発明が解決しようとする課題】
【０００３】
ところで、家事情を考えてみると、非常に狭い空間での生活を強いられている。
部屋は狭く圧迫感がある上、たとえ部屋が広くとも隣家との距離が無いために視界が悪い、日当たりが悪い、そのために部屋の中が年中じめじめしている等の課題を抱えている。
また、日常、我々はテレビ、オーディオ機器等に囲まれて生活を送っているが、それらは見る（観る）、聞く（聴く）を主目的にしたものである。
上述したように、ＬＣＤやプラズマディスプレイを用いたテレビジョン（ＴＶ）セットは一ＴＶを壁に掛けただけであり、それを別の生活空間、時間に適用してより良い生活を得る、すなわち精神を豊かにする、ストレスを無くするなどの装置に適用しておらず、まだ従来のＴＶの延長にしか過ぎない。
【０００４】
本発明は、かかる事情に鑑みてなされたものであり、その目的は、狭い空間にいながら無限に感じる空間を得ることができ、生活空間と一体となった場を提供できるエンタテイメントシステム装置を提供することにある。
【課題を解決するための手段】
【０００５】
上記目的を達成するため、本発明の観点は、複数の入力画像から画像セレクト信号に応じた画像を選択する画像選択手段と、複数の供給音からオーディオセレクト信号に応じた音を選択するオーディオ選択手段と、少なくとも画像およびオーディオの入力条件を設定可能な情報入力装置と、上記情報入力装置によって設定された画像の表示条件に応じて選択すべき供給画像を指定する上記画像セレクト信号を上記画像選択手段に出力し、上記情報入力装置によって設定された発出条件に応じて選択すべき供給音を指定するオーディオセレクト信号を上記オーディオ選択手段に出力し、優先画像信号または／および優先音信号の入力があると、上記画像選択手段または／およびオーディオ選択手段に、上記供給画像または／および供給音に優先させて優先画像または／および優先音を所定時間選択させる制御手段と、画像表示手段を有し、上記画像選択手段で選択された供給画像または優先画像に対して所定の処理を施して、上記情報入力装置によって設定された条件に従って上記画像表示手段に表示させる画像信号処理表示手段と、オーディオ発出手段を有し、上記オーディオ選択手段で選択された供給音または優先音に対して所定の処理を施して、上記情報入力装置によって設定された条件に従って上記オーディオ発出手段の放音させるオーディオ信号処理放音手段とを有する。
【０００６】
好適には、上記画像表示手段の周辺の空気の状態を変更可能なエアコンディショナ機能を有し、上記情報入力装置は、空気条件を設定可能で、上記制御手段は、上記情報入力装置によって設定された空気条件に応じて上記エアコンディショナ機能を稼働させる。
【０００７】
好適には、上記画像表示手段の表示画面を窓として覆うことが可能なカーテンと、上記カーテンを自動開閉するカーテン開閉駆動手段と、を有し、上記制御手段は、上記情報入力装置によって供給画像の選択指示に応じて上記画像選択手段に画像を選択させる場合および上記優先画像の入力がある場合に、上記カーテン開閉駆動手段により上記カーテンを開放させる。
【０００８】
好適には、上記画像表示手段の表示画面側を開閉可能に設けられた窓枠と、上記制御手段は、上記情報入力装置によって供給画像の選択指示に応じて上記画像選択手段に画像を選択させる場合および上記優先画像の入力がある場合に、上記窓枠を所定の度合いをもって開放させる。
【０００９】
好適には、上記窓枠の開閉度合いを検出する開閉度合い検出手段を有し、上記制御手段は、上記開閉度合いの検出結果に応じて、上記エアコンディショナ機能による風量または／および上記オーディオ発出手段が発出する音量を可変とする。
【００１０】
好適には、上記制御手段は、上記情報入力装置によって供給画像の選択指示がない場合および上記優先画像の入力がない場合には、上記画像信号処理表示手段の駆動パワーがオフとなるように制御する。
【００１１】
好適には、上記制御手段は、上記情報入力装置によって供給音の選択指示がない場合および上記優先音の入力がない場合には、上記オーディオ信号処理放音手段の駆動パワーがオフとなるように制御する。
【００１２】
好適には、上記情報入力手段は、優先画像または／および優先音を優先的に選択する時間を設定可能で、上記制御手段は、上記情報入力手段によって設定された時間、上記優先画像または／および優先音を優先的に選択させる。
【００１３】
本発明によれば、たとえば情報入力装置によって画像／オーディオの表示／発出条件が設定され制御手段に供給される。制御手段において、その条件下で形成されたセレクタ信号と優先画像／オーディオ入力端子の表示／発出を優先する信号がたとえば論理合成されて画像選択手段およびオーディオ選択手段に供給され、そこで希望の画像信号とオーディオ信号あるいは優先入力信号が選択される。
画像セレクタ系から取り出された画像信号は、画像信号処理表示手段で情報入力装置によって設定された表示／設定条件（輝度／シャープネス／色合い等）で信号処理される。
そして、その出力は画像表示手段に入力され画像が写し出される。
また、オーディオ選択手段から取り出された音信号は、オーディオ信号処理放音手段で情報入力装置によって設定された表示／設定条件（音量／高低音／バランス等）で信号処理される。
そしてその出力はオーディオ発出手段に入力され、所望の音が発出される。
【発明の効果】
【００１４】
本発明によれば、狭い空間にいながら無限に感じる空間を得ることができ、生活空間と一体となった場を実現でき、プライオリティ機能を活用することで日常生活をより機能的に過ごすことができる。
また、エアコン機能内蔵化により部屋の生活環境をより向上でき、窓枠の開閉度合いでエアコンの風量等を可変できることで、よりリアリティを高めることができる。
【発明を実施するための最良の形態】
【００１５】
以下、本発明の好適な実施形態を図面に関連付けて説明する。
【００１６】
図１は、本発明に係るエンタテイメントシステムの概念を示す図である。
本エンタテイメントシステムは、情報入力装置の指示に従って、画像／オーディオセレクタに入力された画像、オーディオ情報を、窓、または壁などに掛けた表示部に表示したり、表示部あるいは表示部周辺からサウンドを発出する画像／オーディオシステムを中核として、さらに自動カーテン、エアコンディショナ機能を組み合わせることで快適な生活空間をかもし出すエンタテインメントシステムである。
【００１７】
日常、我々はテレビ、オーディオ機器等に囲まれて生活を送っているが、それらは見る（観る）、聞く（聴く）を主目的にしたものである。
それに対して、本システムは“見える”、“聞こえる”を主目的としたもので、あくまで生活空間と一体となった場を提供することである。特にマンションの一室で窓の無い部屋に最適なものである。
本システム１は、フラットパネルディスプレイ（ＦＰＤ）２で窓を構成し、窓枠２ａにはスピーカが埋め込まれ、カーテンレール３にはカーテン開閉駆動回路並びに温度・湿度・空気清浄をコントロールするエアコンディショナが内蔵されている。このため、狭い空間にいながら無限の空間を手にすることができるほか、快適な生活環境を有することができる。
なお、手元には情報入力装置があり、画像、オーディオの入力設定（入力ソース、オン時間、オフ時間、明るさ、音量等々）やエアコンディショナの条件を設定できるほか、当然マニュアルでも操作が可能である。
【００１８】
以下、本エンタテイメントシステム装置の具体的な構成について説明する。
【００１９】
図２は、本発明に係るエンタテイメントシステム装置の駆動制御系の一実施形態を示すブロック構成図である。
【００２０】
図２のエンタテイメントシステム装置１００は、情報入力装置１０１、メインコントローラ１０２、画像／オーディオセレクタ回路１０３、画像／オーディオ記録再生装置１０４、画像信号処理表示部１０５、オーディオ信号処理放音部１０６、窓枠１０７（図１の２ａに相当）、カーテン開閉駆動部１０８、カーテン１０９、およびエアコンディショナ機能１１０を主構成要素として有している。
【００２１】
そして、画像／オーディオセレクタ回路１０３の入力として、テレビジョン（ＴＶ）入力２００、ＶＴＲ入力３００、ＤＶＤ入力４００、セットトップボックス（ＳＴＢ）入力５００、ＣＤ入力６００、ＭＤ入力７００、および優先入力８００を有している。
まず、これら各入力系について説明する。
【００２２】
ＴＶ入力２００について図３に関連付けて説明する。
図３は、ＴＶ受信回路の構成例を示すブロック図である。
このＴＶ受信回路は、図３に示すように、アンテナ２０１、チューナ２０２、映像中間周波回路２０３、検波回路２０４、映像増幅回路２０５、色回路２０６、マトリックス回路２０７、４．５ＭＨｚ検波回路２０８、音声中間周波増幅回路２０９、ＦＭ検波回路２１０、および音声増幅回路２１１を有している。
【００２３】
ＴＶ受信用アンテナ２０１で受信されたＲＦ信号は、高周波増幅回路、周波数変換回路（周波数混合回路と局部発信回路）から構成されるチューナ２０２により、たとえば第一チャンネル（映像搬送波周波数９１．２５ＭＨｚ、音声搬送波周波数９５．７５ＭＨｚ）の信号は局部発信器発信周波数（91.25＋58.75＝150MHz）で、５８．７５ＭＨｚの映像中間周波信号、並びに５４．２５ＭＨｚの音声中間周波信号に変換される。
映像の変換信号は中間周波増幅器２０３、検波器２０４でベースバンド信号に変換される。音声の変換信号は４．５ＭＨｚ検波器２０８、中間周波増幅器２０９、ＦＭ検波器２１０でベースバンド信号に変換される。
本システムに入力される映像信号は図３に示したＡ点の信号、すなわち、ビデオコンポジット信号である。
映像信号は、映像増幅回路２０５、色回路２０６、マトリックス回路２０７を通してＣＲＴの表示デバイス２１２に表示される。
音声信号は、音声増幅回路２１１を通してスピーカ２１３により放音される。
【００２４】
次に、ＶＴＲの映像再生信号について図４および図５に関連付けて説明する。
図４は、ビデオ（Ｖｉｄｅｏ）再生回路の構成例を示すブロック図であり、図５は、ビデオ（Ｖｉｄｅｏ）記録信号と周波数の関係を示す図である。
【００２５】
図４のビデオ再生回路は、ビデオヘッド３０１、ヘッドアンプ３０２、ハイパスフィルタ（ＨＰＦ）３０３、リミッタ３０４、ＦＭ復調回路３０５、ローパスフィルタ（ＬＰＦ）３０６、ＬＰＦ３０７、カラー振幅調整（ＡＣＣ）回路３０８、周波数変換回路３０９、利得制御回路３１０、および混合器３１１を有している。
【００２６】
ビデオ再生回路において、ビデオヘッド３０１でピックアップされたビデオ再生ＲＦ信号はヘッドアンプ３０２で増幅後、ＨＰＦ３０３でＹ信号に、ＬＰＦ３０７でクロマ信号に分離される。Ｙ信号はリミッタ回路３０４を経た後、ＦＭ復調回路３０５でＦＭ復調されＬＰＦ３０６を通して輝度信号となる。
一方、ＬＰＦ３０７を経たクロマ信号は、ＡＣＣ（カラー振幅調整）回路３０８にてバーストゲートパルスで抜き取ったバースト信号をエンベロープ（包絡線）検波しバーストの振幅に応じて振幅を調整される。その後、周波数変換回路３０９で低域周波数から３．５８ＭＨｚに変換され、利得制御回路３１０で所望のレベルに調整後、ＬＰＦ３０６による輝度信号と混合器３１１で混合されコンポジット信号となる。
本システムに入力される映像信号はこのビデオコンポジット信号である。
【００２７】
さらに、ＤＶＤ再生信号について図６に関連付けて説明する。
図６は、ＤＶＤ再生回路の構成例を示すブロック図である。
【００２８】
図６のＤＶＤ再生回路は、ＤＶＤドライブ回路４０１、復調回路４０２、誤り訂正回路４０３、ストリーム分離回路４０４、ＭＰＥＧ２復号回路４０５、ＮＴＳＣデコーダ４０６、デジタル／アナログ（ＤＡ）変換器４０７、ＭＰＥＧオーディオ復号回路４０８、ＡＣ−３復号回路４０９、およびＤＡ変換器４１０を有している。
【００２９】
ＤＶＤ再生回路において、ディスク再生信号がＤＶＤドライブ回路４０１で受信後、復調回路４０２、誤り訂正回路４０３を経てストリーム分離回路４０４で、ビデオストリームとオーディオストリームに分離される。
ビデオストリームはＭＰＥＧ２復号回路４０５でＭＰＥＧ２復調後、ＮＴＳＣデコーダ４０６を経てＤＡ変換器４０７でＤＡ変換されコンポジットビデオ信号となる。
一方、オーディオストリームは、ＭＰＥＧオーディオ復号回路４０８、ＡＣ−３復号回路４０９にてＭＰＥＧオーディオ復号並びにＡＣ−３復号処理された後、ＤＡ変換器４１０で変換されてベースバンドオーディオ信号となる。
本システムの入力信号は、ＤＡ変換されたコンポジットビデオ信号でありベースバンドオーディオ信号である。
【００３０】
ここで、ＴＶ，ＶＴＲやＤＶＤのビデオ／オーディオ出力端子から、たとえば本システムの画像／オーディオセレクタ入力端子に接続した場合の操作を簡単に説明する。
図７は、画像／オーディオ入力端子のイメージ図である。
【００３１】
ＴＶ受信回路のビデオ／オーディオ出力信号は画像／オーディオ入力端子Ａに、ＶＴＲのビデオ／オーディオ出力信号は画像／オーディオ入力端子Ｂに、ＤＶＤのビデオ／オーディオ出力信号は画像／オーディオ入力端子Ｃに、ＳＴＢのビデオ／オーディオ出力信号は画像／オーディオ入力端子Ｄに、ＣＤのビデオ／オーディオ出力信号は画像／オーディオ入力端子Ｅに、ＭＤのビデオ／オーディオ出力信号は画像／オーディオ入力端子Ｆに、優先入力信号は入力端子Ｐにそれぞれ入力される。
【００３２】
さらに、インターネットなどからの画像、音声処理について、図８に関連付けて説明する。
図８は、ＣＡＴＶインタネットアクセス用途のＳＴＢ（セットトップボックス）の基本構成を示すブロック図である。
【００３３】
図８のＳＴＢは、インタフェース部５０１、ＣＡＴＶ信号受信部５０２、ＣＡＴＶ復調部５０３、信号分離部５０４、ＭＰＥＧ２オーディオ復号部５０５、ＭＰＥＧ２ビデオ復号部５０６、ビデオ出力オーバレイ部５０７、データ変調／復調部５０８、および制御部５０９を有している。
【００３４】
ＣＡＴＶ局側のヘッドエンド（上り信号と下り信号の周波数変換装置）５１０からの信号はＣＡＴＶケーブルを介してＳＴＢのインタフェース部５０１に入力され、ＣＡＴＶ信号受信部５０２においてビデオサーバからの信号を受理し、その後、復調部５０３において、制御部５０９で指示された伝送速度に合わせ６４ＱＡＭ方式などによる信号復調を行う。
その信号は、信号分離部５０４でビデオ信号とオーディオ信号に分離され、オーディオ信号はＭＰＥＧ２オーディオ復号部５０５で、圧縮されたオーディオ信号を伸張（元の音に戻す）してスピーカに入力される。
一方、ビデオ信号は、オーディオ信号と同様にＭＰＥＧ２ビデオ復号部５０６でＭＰＥＧ２ビデオで圧縮されたビデオ信号を伸張し、その信号はビデオ出力オーバレイ部５０６に入力される。そこで、伸張信号（元のビデオ信号）と、制御部５０９から指示されたテキストやグラフィックス表示を重ねて（オーバレイ）テレビに表示される。
【００３５】
次に、図２の各構成要素について説明する。
【００３６】
情報入力装置１０１は、ヒューマンインタフェースで、画像、オーディオの入力条件（表示／発出時間、入力ソース、表示／発出条件）並びに空気条件（設定温度、設定湿度、開始時間、終了時間、空気清浄度合い、風量等）が設定され、メインコントローラ１０２へ送出される。
なお、情報入力装置１０１とメインコントローラ１０２間の信号の授受は有線でも良いし、赤外線等のワイヤレス送信でも良い。
【００３７】
また、情報入力装置１０１は、たとえばＬＣＤ等の表示デバイスを有しており、設定内容や条件を表示デバイスに表示可能に構成される。
【００３８】
図９は、本実施形態に係る情報入力装置の表示デバイスへの表示例を示す図である。
図９の例では、映像（画像）入力は、午前中は、６時〜８時の時間帯に入力端子ＣからＤＶＤの再生映像の入力を行い、８時〜１０時の時間帯に入力端子ＤからＰＣ（パーソナルコンピュータ）あるいはＳＴＢによる映像入力を行うように設定されている。午後は、１８時〜２０時の時間帯に入力端子ＣからＤＶＤの再生映像の入力を行い、２２時〜２４時の時間帯に入力端子ＤからＰＣあるいはＳＴＢによる映像入力を行うように設定されている。
オーディオ（音声）入力は、午前中は、６時〜８時の時間帯に入力端子ＣからＤＶＤの再生音声の入力を行い、８時〜１０時の時間帯に入力端子ＦからＭＤによる音声入力を行うように設定されている。午後は、１８時〜２０時の時間帯に入力端子ＣからＤＶＤの再生音声の入力を行い、２２時〜２４時の時間帯に入力端子ＥからＣＤによる音声入力を行うように設定されている。
また、エアコンディショナ機能１１０によるエア環境（空気条件）については、映像および音声入力に合わせるように、午前は、５時５０分〜１０時までの時間帯に作動し、温度は２７度、湿度は３５％、清浄機能はオン（ＯＮ）に設定され、午後は、１７時５０分〜２４時までの時間帯に作動し、温度は２８度、湿度は３５％、清浄機能はオン（ＯＮ）に設定されている。
そして、表示する映像の条件や音声の音量は、映像および音声入力に合わせるように、午前は、明るさ、シャープネスはセンタで、音量は小レベルになるように設定され、午後は、明るさ、シャープネスはセンタで、音量は中レベルになるように設定されている。
【００３９】
メインコントローラ１０２は、情報入力装置１０１によって設定された画像／オーディオの表示／発出条件下で、画像／オーディオセレクタ回路１０３における入力選択のためのセレクタ信号を形成し、このセレクト信号と優先入力８００に必要に応じて入力される優先画像／オーディオ入力端子の表示／発出を優先するプライオリティパルスとを、希望の画像信号とオーディオ信号あるいは優先入力信号を選択するために画像／オーディオセレクタ回路１０３に供給する。
また、メインコントローラ１０２は、セレクト信号とプライオリティパルスを論理合成した信号により画像信号処理表示部１０５、オーディオ信号処理放音部１０６、およびカーテン開閉駆動部１０８の駆動制御（パワーオン・オフ制御）を行う。
また、メインコントローラ１０２は、エアデコディショナ機能１１０を情報入力装置１０１によって設定された空気条件（設定温度、設定湿度、開始時間、終了時間、空気清浄度合い、風量等）に従って駆動制御する。
【００４０】
図１０は、本実施形態に係るメインコントローラ、および画像／オーディオセレクタ回路の具体的な構成例を示す図である。
【００４１】
図１０のメインコントローラ１０２は、画像セレクトコントロール回路１０２１、オーディオセレクトコントロール回路１０２２、信号有無判定回路１０２３、プライオリティパルス発生回路１０２４、および４入力ＯＲ回路１０２５，１０２６を有している。
【００４２】
画像セレクトコントロール回路１０２１は、たとえば情報入力装置１０１から供給される３ビットの画像セレクト入力信号Ｖ２，Ｖ１，Ｖ０の入力レベルに応じて、指定された入力画像を選択するｍビット（たとえば２ビット）の画像セレクト信号Ｖ−ＳＥＬを生成して、画像／オーディオセレクタ回路１０３の画像セレクタ系に出力する。
【００４３】
具体的には、図１１に示すように、画像セレクトコントロール回路１０２１は、画像セレクト入力信号Ｖ２，Ｖ１，Ｖ０が、Ｖ２＝Ｌ（ローレベル），Ｖ１＝Ｌ，Ｖ０＝Ｌの場合は、いずれの画像出力の選択を行わないことを指示する画像セレクト信号Ｖ−ＳＥＬを生成する。
画像セレクト入力信号Ｖ２，Ｖ１，Ｖ０が、Ｖ２＝Ｌ，Ｖ１＝Ｌ，Ｖ０＝Ｈ（ハイレベル）の場合は、ＴＶ画像出力の選択を行うことを指示する画像セレクト信号Ｖ−ＳＥＬを生成する。
画像セレクト入力信号Ｖ２，Ｖ１，Ｖ０が、Ｖ２＝Ｌ，Ｖ１＝Ｈ，Ｖ０＝Ｌの場合は、ＶＴＲ画像出力の選択を行うことを指示する画像セレクト信号Ｖ−ＳＥＬを生成する。
画像セレクト入力信号Ｖ２，Ｖ１，Ｖ０が、Ｖ２＝Ｌ，Ｖ１＝Ｈ，Ｖ０＝Ｈの場合は、ＤＶＤ画像出力の選択を行うことを指示する画像セレクト信号Ｖ−ＳＥＬを生成する。
画像セレクト入力信号Ｖ２，Ｖ１，Ｖ０が、Ｖ２＝Ｈ，Ｖ１＝Ｌ，Ｖ０＝Ｌの場合は、ＰＣ画像出力の選択を行うことを指示する画像セレクト信号Ｖ−ＳＥＬを生成する。
【００４４】
オーディオセレクトコントロール回路１０２２は、たとえば情報入力装置１０１から供給される３ビットのオーディオセレクト入力信号Ａ２，Ａ１，Ａ０の入力レベルに応じて、指定された入力音声を選択するｎビット（たとえば３ビット）のオーディオセレクト信号Ａ−ＳＥＬを生成して、画像／オーディオセレクタ回路１０３のオーディオセレクタ系に出力する。
【００４５】
具体的には、図１２に示すように、オーディオセレクトコントロール回路１０２２は、オーディオセレクト入力信号Ａ２，Ａ１，Ａ０が、Ａ２＝Ｌ，Ｖ１＝Ｌ，Ｖ０＝Ｌの場合は、いずれ音声出力の選択も行わないことを指示するオーディオセレクト信号Ａ−ＳＥＬを生成する。
オーディオセレクト入力信号Ａ２，Ａ１，Ａ０が、Ａ２＝Ｌ，Ａ１＝Ｌ，Ａ０＝Ｈの場合は、ＴＶ音声出力の選択を行うことを指示するオーディオセレクト信号Ａ−ＳＥＬを生成する。
オーディオセレクト入力信号Ａ２，Ａ１，Ａ０が、Ａ２＝Ｌ，Ａ１＝Ｈ，Ａ０＝Ｌの場合は、ＶＴＲ音声出力の選択を行うことを指示するオーディオセレクト信号Ａ−ＳＥＬを生成する。
オーディオセレクト入力信号Ａ２，Ａ１，Ａ０が、Ａ２＝Ｌ，Ａ１＝Ｈ，Ａ０＝Ｈの場合は、ＤＶＤ音声出力の選択を行うことを指示するオーディオセレクト信号Ａ−ＳＥＬを生成する。
オーディオセレクト入力信号Ａ２，Ａ１，Ａ０が、Ａ２＝Ｈ，Ａ１＝Ｌ，Ａ０＝Ｌの場合は、ＰＣ音声出力の選択を行うことを指示するオーディオセレクト信号Ａ−ＳＥＬを生成する。
オーディオセレクト入力信号Ａ２，Ａ１，Ａ０が、Ａ２＝Ｈ，Ａ１＝Ｌ，Ａ０＝Ｈの場合は、ＣＤ音声出力の選択を行うことを指示するオーディオセレクト信号Ａ−ＳＥＬを生成する。
オーディオセレクト入力信号Ａ２，Ａ１，Ａ０が、Ａ２＝Ｈ，Ａ１＝Ｈ，Ａ０＝Ｌの場合は、ＭＤ音声出力の選択を行うことを指示するオーディオセレクト信号Ａ−ＳＥＬを生成する。
【００４６】
信号有無判定回路１０２３は、画像／オーディオセレクタ回路１０３の画像セレクタ系における優先信号のＶ入力端子Ｐおよびオーディオセレクタ系における優先信号のＡ入力端子Ｐに優先信号ＳＶおよびＳＳの入力の有無を判定し、優先信号の入力があった場合に、判定信号Ｓ１０２３を、たとえばアクティブのハイレベルに設定してプライオリティパルス発生回路１０２４に出力する。
【００４７】
プライオリティパルス発生回路１０２４は、信号有無判定回路１０２３による判定信号Ｓ１０２３をアクティブのハイレベルで受けると、所定のパルス幅を有するプライオリティパルスＳ１０２４を生成して、画像／オーディオセレクタ回路１０３の画像セレクタ系およびオーディオセレクタ系、並びにＯＲ回路１０２５，１０２６に出力する。
プライオリティパルス発生回路１０２４はタイマをもっており、プライオリティパルスＳ１０２４のパルス幅を任意に設定することが可能であり、その値は情報入力装置１０１で設定される。
【００４８】
ＯＲ回路１０２５は、３ビットの画像セレクト入力信号Ｖ２，Ｖ１，Ｖ０およびプライオリティパルスＳ１０２４の論理和をとり、いずれかがハイレベルの場合に、画像信号処理表示部１０５およびカーテン開閉駆動部１０８のパワーをオンさせるための画像パワーオン信号Ｖ−ＰＯＮをハイレベルで画像信号処理表示部１０５およびカーテン開閉駆動部１０８に出力する。
【００４９】
ＯＲ回路１０２６は、３ビットのオーディオセレクト入力信号Ａ２，Ａ１，Ａ０およびプライオリティパルスＳ１０２４の論理和をとり、いずれかがハイレベルの場合に、オーディオ信号処理放音部１０６のパワーをオンさせるためのオーディオパワーオン信号Ａ−ＰＯＮをハイレベルでオーディオ信号処理放音部１０６に出力する。
【００５０】
画像／オーディオセレクタ回路１０３は、画像入力端子とオーディオ入力端子への画像信号および／または音声信号をメインコントローラ１０２による画像セレクト信号Ｖ−ＳＥＬ信号および／またはオーディオセレクト信号Ａ−ＳＥＬの指示に従って選択し、画像信号処理表示部１０５、オーディオ信号処理放音部１０６への導出を行う。
画像／オーディオセレクタ回路１０３は、図１１および図１２に示すように、メインコントローラ１０２によりプライオリティパルスＳ１０２４を受けると、画像セレクト信号Ｖ−ＳＥＬ信号およびオーディオセレクト信号Ａ−ＳＥＬの内容にかかわらず、優先信号ＳＶ，ＳＳを選択して、画像信号処理表示部１０５およびオーディオ信号処理放音部１０６に入力させる。
【００５１】
画像／オーディオセレクタ回路１０３は、たとえば図１０に示すように、画像セレクタ系の切替スイッチＶＳＷ１およびＶＳＷ２と、オーディオセレクタ系の切替スイッチＡＳＷ１およびＡＳＷ２を有する。
【００５２】
画像セレクタ系の切替スイッチＶＳＷ１は、メインコントローラ１０２の画像セレクトコントロール回路１０２１による画像セレクト信号Ｖ−ＳＥＬに指示に従って、端子ＶＴ１を、Ｖ端子Ａ（ＴＶ），Ｖ端子Ｂ（ＶＴＲ），Ｖ端子Ｃ（ＤＶＤ），Ｖ端子Ｄ（ＳＴＢ）のいずれかと切り替え接続する。
画像セレクタ系の切替スイッチＶＳＷ２は、メインコントローラ１０２のプライオリティパルスをローレベルで受けると、画像信号処理表示部１０５の入力と接続された端子ＶＴ２を端子ＶＴ１と接続し、プライオリティパルスＳ１０２４をハイレベルで受けると、端子ＶＴ２をＶ端子Ｐ（優先Ｖ）と接続する。
【００５３】
オーディオセレクタ系の切替スイッチＡＳＷ１は、メインコントローラ１０２のオーディオセレクトコントロール回路１０２２によるオーディオセレクト信号Ａ−ＳＥＬに指示に従って、端子ＡＴ１を、Ａ端子Ａ（ＴＶ），Ａ端子Ｂ（ＶＴＲ），Ａ端子Ｃ（ＤＶＤ），Ａ端子Ｄ（ＳＴＢ），Ａ端子Ｅ（ＣＤ），Ａ端子Ｆ（ＭＤ）のいずれかと切り替え接続する。
オーディオセレクタ系の切替スイッチＡＳＷ２は、メインコントローラ１０２のプライオリティパルスをローレベルで受けると、オーディオ信号処理放音部１０６の入力と接続された端子ＡＴ２を端子ＡＴ１と接続し、プライオリティパルスＳ１０２４をハイレベルで受けると、端子ＡＴ２をＡ端子Ｐ（優先Ｓ）と接続する。
【００５４】
画像／オーディオ記録再生装置１０４は、画像／オーディオセレクタ回路１０３で選択された画像信号および音声信号を記録再生する装置で、再生信号は画像／オーディオセレクタ回路１０３の一入力信号となる。
なお、画像／オーディオ記録再生装置１０４における記録再生条件はメインコントローラ１０２より設定される。
【００５５】
画像信号処理表示部１０５は、画像処理回路１０５１、画像表示デバイス１０５２、および電源回路１０５３を有し、メインコントローラ１０２によるパワー信号Ｖ−ＰＯＮを受けて起動し、画像／オーディオセレクタ回路１０３で選択されたＴＶ等の画像出力に対して輝度信号処理／色差信号処理等の所定の処理を施した後、所定のタイミングをもって表示デバイス（表示パネル）に表示する。
画像表示デバイス１０５２は、フラットパネルディスプレイ（ＦＰＤ）により構成される。
【００５６】
図１３は、本実施形態に係る画像信号処理表示部１０５の具体的な構成例を示すブロック図である。
【００５７】
図１３の画像信号処理表示部１０５において、画像信号処理回路１０５１がＹ信号処理回路１０５１１、色信号処理回路１０５１２、マトリックス回路１０５１３、輪郭補正回路１０５１４、映像調整回路１０５１５、階調補正回路１０５１６、時間軸伸長回路１０５１７、同期分離回路１０５１８、タイミングコントローラ１０５１９、極性反転アンプ・レベルシフト回路１０５２０により構成されている。
また、パネルモジュールとしての画像表示デバイス１０５２は、走査ドライバ１０５２１、データドライバ１０５２２、および有効表示領域１０５２３により構成されている。
【００５８】
図１３の画像信号処理表示部１０５において、画像／オーディオセレクタ回路１０３の画像出力は、Ｙ信号処理回路１０５１１および色信号処理回路１０５１２で輝度信号処理／色差信号処理される。
Ｙ信号処理回路１０５１１による輝度信号は同期分離回路１０５１８に入力され、ここで同期分離された信号はタイミングコントローラ１０５１９に入力され、水平同期信号並びに垂直同期信号が形成され、表示パネルのデータドライバ１０５２２並びに走査ドライバ１０５２１へ導出される。
一方、輝度信号処理／色差信号は、マトリックス回路１０５１３においてマトリックス変換後、輪郭補正、映像調整、階調補正、データ伸張、極性反転、レベルシフトで表示パネルデータとなり、表示パネルに画像が表示される。
なお、輝度、シャープネス、色合いなどの度合いは情報入力装置１０１で設定された情報に基づいて行われることは言うまでも無い。
【００５９】
オーディオ信号処理放音部１０６は、オーディオ処理回路１０６１、オーディオ発出手段としてのスピーカ１０６２、および電源回路１０６３を有し、メインコントローラ１０２によるパワー信号Ａ−ＰＯＮを受けて起動し、画像／オーディオセレクタ回路１０３で選択されたＴＶ等のオーディオ出力が、情報入力装置１０１で設定された情報に基づいて音量、高低音補正、左右バランス処理をした後、スピーカ１０６２に導出し、所望の音声を放音させる。
【００６０】
本実施形態において、画像表示デバイス１０５２であるＦＰＤに表示された画像はあくまで窓から見える画像であり、本実施形態における窓枠１０７は本来の窓の役割を果たすものである。窓枠１０７は、たとえばある支軸を中心に開閉できたり、あるいはスライド式に開閉することができる。
その開閉度合いは、図示しない開閉度合検出部によって開閉度合い量に対応した信号に変換され、その開閉度合い量に対応した信号をメインコントローラ１０２に入力することにより、現行設定の風量、あるいは音量を開閉度合いに応じて可変することができる。
【００６１】
図１４（Ａ）〜（Ｃ）は、本実施形態に係る窓枠における開閉度合検出部の一例を示す図である。図１４の開閉度合検出部１０７１は、発光（送光部）１０７１１、受光部１０７１２、信号有無判別回路１０７１３、電源回路１０７１４を有している。
図１４の例では窓外枠の左右に支軸がありそこを支点として中心から左右に開閉する窓で説明しているが、必ずしもこの限りでない。
窓外枠１０７ａの上部には、たとえば赤外線にような窓の画像に何ら影響を及ぼさない発光部１０７１１が配置され、窓外枠１０７ａの下部には任意の窓枠開閉度合いが分かるように複数の受光部１０７１２（ＲL3，ＲL2，ＲL1，ＲR1，ＲR2，ＲR3) が設置されている。本例では、３段階で認識するものとする。
【００６２】
図１５は、図１４の開閉度合検出部の動作を説明するためのフローチャートである。
図１４の開閉度合検出部１０７１においては、まず初めに、発光部１０７１１、受光部１０７１２、信号有無判別回路１０７１３は、左右の窓が開いた時点で電源が入るようになっている（ＳＴ１，ＳＴ２）。
このメカニズムは、左右窓の内側に窓が閉じている状態でＯＦＦ、開いた状態でＯＮするスイッチを電気的に実現してもいいし、メカ的に実現してもよく、必ずしもこの限りではない。
たとえば、窓が開いて上記スイッチがＯＮすると、窓外枠１０７ａの上部にある発光部１０７１１が窓外枠１０７ａの下部に向かって光を放ち、開閉度合いが大きくなるに従い、受光部ＲＬ１，ＲＬ２，ＲＬ３、・・・（ＲＲ１，ＲＲ２，ＲＲ３、・・・）と信号判別が行われることで開閉度合いを認識し、その情報はメインコントローラ１０２に入力される（ＳＴ３）。
メインコントローラ１０２は、現在設定してあるエアコンディショナの送風量、あるいはオーディオの音量等の現行条件に、上記開閉度合い量に応じた加算が行われ、送風量、音量が変化する（ＳＴ４）。
【００６３】
なお、開閉度合いに応じた加算量がマニュアルで設定可能であることはいうまでもない。
勿論、窓枠１０７にガラスがはまっていればよりリアリティが高まり効果的であるが、その限りでは無い。
窓枠１０７はある支点を中心に開閉できたり、スライド式に開閉することもでき、また、その開閉の度合いによってエアコンディショナの送風量を可変できることが好ましい。但し、必ずしもその限りではない。
【００６４】
本システムでは設定された画像予約が終了した段階で画像信号処理表示部１０５の電源がオフになるとともにカーテンを閉める動作を行うが、本窓枠１０７の開閉度合いはメインコントローラ１０２が監視しており、カーテンを閉める前に窓枠１０７をしめる動作を行う。
【００６５】
カーテン開閉駆動部１０８は、画像／オーディオセレクタ回路１０３の画像出力発出とリンクした形でカーテンの開閉を行う。
【００６６】
カーテン１０９は、表示パネルとしてＦＰＤを覆うもので、左から右へ覆うもの、右から左に覆うもの、左右から中央に向かって覆うもの、
あるいは、シャッタでも覆うものであればどれでもよい。
【００６７】
エアコンディショナ機能１１０は、情報入力装置１０１で設定された情報に基づいてメインコントローラ１０２によりエアコンディショナ制御がなされる。
【００６８】
次に、上記構成による動作を説明する。
【００６９】
情報入力装置１０１によって画像／オーディオの表示／発出条件が設定されメインコントローラ１０２に供給され、メインコントローラ１０２において、その条件下で形成されたセレクタ信号と優先画像／オーディオ入力端子の表示／発出を優先するプライオリティパルスが論理合成されて画像／オーディオセレクタ回路１０３に供給され、そこで希望の画像信号とオーディオ信号あるいは優先入力信号が選択される。
画像セレクタ系から取り出された画像信号は、画像信号処理表示部１０５の画像処理回路１０５１に入力され、情報入力装置１０１によって設定された表示／設定条件（輝度／シャープネス／色合い等）で信号処理される。
そして、その出力は画像表示デバイス１０５２に入力され画像が写し出される。
また、画像／オーディオセレクタ回路１０３から取り出された音声信号は、オーディオ信号処理放音部１０６のオーディオ処理回路１０６１に入力され、情報入力装置１０１によって設定された表示／設定条件（音量／高低音／バランス等）で信号処理される。
そしてその出力はオーディオ発出手段としてスピーカ１０６２に入力され、所望の音が発出される。
【００７０】
次に、具体的動作例について説明する。
たとえば、タイマ設定によって午前５時半にエアコンディショナが稼動して、あらかじめ設定された温度、湿度に室内環境を整え、午前６時にカーテンが開き、高原の爽やかな画像並びに鳥のさえずる声が・・・流れる。
起きた後はその日の気分に合わせて、インタネット回線による各国の町の画像、音声がリアルタイムで現出される。
たとえば夕方には山寺の映像と烏の鳴き声と鐘の音が流れる。
それらは決して生活の主体では無く、あくまで脇役として生活の一部として溶け込んでいるものである。
夜７時、家に誰かが訪問する。
玄関のカメラ信号並びに音声信号が優先信号になっているため、事前に決めていた１分間、窓の画像と音声は玄関のカメラ信号並びに音声に切り替わり、一分後、それまでの画像、サウンドに切り替わる。
そして、夜１１時。１１時にオフ設定された画像、サウンドはオフとなりカーテンが閉まる。
また、エアコンディショナは事前設定された１２時にオフとなる。
【００７１】
さらに具体的な動作について、メインコントローラの動作を中心に、図１６（Ａ）〜（Ｊ）のタイミングチャートに関連付けて説明する。
【００７２】
ここでは、図１６（Ａ）〜（Ｊ）に示すように、情報入力装置１０１でｔ０−ｔ１の期間、ＶＴＲの画像／オーディオの表示発出と、ｔ４−ｔ７の期間、ＤＶＤの画像表示並びに、ｔ４−ｔ８の期間、ＭＤのオーディオ発出を設定したとする。
【００７３】
ｔ０の時点になると、メインコントローラ１０２の画像セレクトコントロール回路１０２１への画像セレクト入力信号が、Ｖ２＝Ｌ、Ｖ１＝Ｈ、Ｖ０＝Ｌとなる。同時に、オーディオセレクトコントロール回路１０２２へのオーディオセレクト入力信号が、Ａ２＝Ｌ、Ａ１＝Ｈ、Ａ０＝Ｌとなる。
これにより、画像セレクトコントロール回路１０２１において、ＶＴＲビデオ（画像）出力を選択を指示する画像セレクト信号Ｖ−ＳＥＬが生成され、オーディオセレクトコントロール回路１０２２においてＶＴＲオーディオ出力の選択を行うことを指示するオーディオセレクト信号Ａ−ＳＥＬが生成され、画像／オーディオセレクタ回路１０３に出力される。
この結果、画像／オーディオセレクタ回路１０３は、ＶＴＲビデオ出力並びにＶＴＲオーディオ出力を選択する。
【００７４】
一方、画像セレクト入力信号Ｖ２，Ｖ１，Ｖ０とプライオリティパルスＳ１０２４はオア回路１０２５に入力され、“Ｈ”となった信号が画像信号処理表示部１０５のパワーを起動させる。この場合、画像セレクト入力信号Ｖ１がハイレベルであり、画像信号処理表示部１０５のパワーを起動させる。
同様に、オーディオセレクト入力信号Ａ２，Ａ１，Ａ０とプライオリティパルスＳ１０２４はオア回路１０２６に入力され、“Ｈ”となった信号がオーディオ信号処理放音部１０６のパワーを起動させる。この場合、オーディオセレクト入力信号Ａ１がハイレベルであり、オーディオ信号処理放音部１０６のパワーを起動させる。
【００７５】
さらに、画像セレクト入力信号Ｖ２，Ｖ１，Ｖ０とプライオリティパルスＳ１０２４が入力されたオア回路１０２５の出力はカーテン開閉駆動回路１０８に入力されており、カーテン開閉駆動回路１０８がその立ち上がりでカーテンを開く動作を行う。
ｔ１の時点になると、画像セレクト入力信号Ｖ２，Ｖ１，Ｖ０、オーディオセレクト入力信号Ａ２，Ａ１，Ａ０の全てが“Ｌ”となるため、画像信号処理表示部１０５およびオーディオ信号処理放音部１０６のパワーはオフになるとともに、画像セレクト入力信号Ｖ２，Ｖ１，Ｖ０とプライオリティパルスＳ１０２４が入力されたオア回路１０２５の出力は“Ｈ”から“Ｌ”となり、カーテン開閉駆動回路１０８がその立ち下がりでカーテンを閉める動作を行う。
【００７６】
次にｔ２−ｔ３の期間、優先信号（ＳＶ／ＳＳ）が入ったとする。
ｔ２の時点になると、優先入力端子Ｐに接続された信号有無判定回路１０２３の出力である判定信号Ｓ１０２３がＨ”となりその出力がプライオリティパルス発生回路１０２４に入力される。
情報入力装置１０１で指定された時間幅を持つプライオリティパルス発生回路１０２４の出力であるプライオリティパルスＳ１０２４が画像／オーディオセレクタ回路１０３に入力され、画像／オーディオセレクタ回路１０３が優先画像並びに優先オーディオを選択する。
さらに、画像セレクト入力信号Ｖ２，Ｖ１，Ｖ０とプライオリティパルスＳ１０２４が入力されたオア回路１０２５の出力が“Ｌ”から“Ｈ”となるため、カーテン開閉駆動回路１０８により上記同様カーテンが開き、画像信号処理表示部１０５のパワーを起動して優先画像が表示される。これと並行して、オーディオも同様、オーディオセレクト入力信号Ａ２，Ａ１，Ａ０とプライオリティパルスＳ１０２４が入力されたオア回路１０２６の出力が“Ｌ”から“Ｈ”となるため、オーディオ信号処理放音部１０６のパワーが起動してスピーカ１０６２より発出される。
ｔ３の時点になると、プライオリティパルスＳ１０２４が“Ｈ”から“Ｌ”になるため、前記ｔ１時同様の動作を行う。
【００７７】
次に、ｔ４以降について説明を行う。
ｔ４の時点になると、メインコントローラ１０２の画像セレクトコントロール回路１０２１への画像セレクト入力信号が、Ｖ２＝Ｌ、Ｖ１＝Ｈ、Ｖ０＝Ｈとなる。同時に、オーディオセレクトコントロール回路１０２２へのオーディオセレクト入力信号が、Ａ２＝Ｈ、Ａ１＝Ｈ、Ａ０＝Ｌとなる。
これにより、画像セレクトコントロール回路１０２１において、Ｖ端子ＣのＤＶＤビデオ（画像）出力を選択を指示する画像セレクト信号Ｖ−ＳＥＬが生成され、オーディオセレクトコントロール回路１０２２においてＡ端子ＦのＭＤオーディオ出力の選択を行うことを指示するオーディオセレクト信号Ａ−ＳＥＬが生成され、画像／オーディオセレクタ回路１０３に出力される。
さらに、画像セレクト入力信号Ｖ２，Ｖ１，Ｖ０とプライオリティパルスＳ１０２４が入力されたオア回路１０２５の出力が“Ｌ”から“Ｈ”となるため、カーテン開閉駆動回路１０８により上記同様カーテンが開き、画像信号処理表示部１０５のパワーを起動して優先画像が表示される。これと並行して、オーディオも同様、オーディオセレクト入力信号Ａ２，Ａ１，Ａ０とプライオリティパルスＳ１０２４が入力されたオア回路１０２６の出力が“Ｌ”から“Ｈ”となるため、オーディオ信号処理放音部１０６のパワーが起動してスピーカ１０６２より発出される。
【００７８】
ｔ５の時点で優先入力端子Ｐに信号が印加されるため、優先入力端子Ｐに接続された信号有無判定回路１０２３の出力である判定信号Ｓ１０２３がＨ”となりその出力がプライオリティパルス発生回路１０２４に入力される。
情報入力装置１０１で指定された時間幅を持つプライオリティパルス発生回路１０２４の出力であるプライオリティパルスＳ１０２４が画像／オーディオセレクタ回路１０３に入力され、画像／オーディオセレクタ回路１０３が優先画像並びに優先オーディオを選択する。
ｔ６の時点でプライオリティパルス発生回路１０２４の出力であるプライオリティパルスＳ１０２４が“Ｈ”から“Ｌ”となるため、画像／オーディオセレクタ回路１０３は再びＶ端子ＣのＤＶＤビデオ出力並びにＡ端子ＦのＭＤオーディオ出力を選択する。
【００７９】
ｔ７の時点で、画像セレクト入力信号Ｖ２，Ｖ１，Ｖ０の全てが“Ｌ”となるため、画像信号処理表示部１０５のパワーはオフになるとともに、画像セレクト入力信号Ｖ２，Ｖ１，Ｖ０とプライオリティパルスＳ１０２４が入力されたオア回路１０２５の出力は“Ｈ”から“Ｌ”となり、カーテン開閉駆動回路１０８がその立ち下がりでカーテンを閉める動作を行う。
ｔ８の時点で、オーディオセレクト入力信号Ａ２，Ａ１，Ａ０の全てが“Ｌ”となるため、オーディオセレクト入力信号Ａ２，Ａ１，Ａ０とプライオリティパルスＳ１０２４が入力されたオア回路１０２６の出力は“Ｈ”から“Ｌ”となり、オーディオ信号処理放音部１０６の電源がオフとなる。
【００８０】
なお、本実施形態においては、画像／オーディオセレクタ回路１０３の入力画像はコンポジットビデオ信号として説明を行ったが、Ｙ輝度信号と色差信号の分離された信号でも良いし、ＲＧＢ信号でも良い。
【００８１】
以上説明したように、本実施形態によれば、フラットパネルディスプレイ（ＦＰＤ）２で窓を構成し、窓枠２ａにはスピーカが埋め込まれ、カーテンレール３にはカーテン開閉駆動回路並びに温度・湿度・空気清浄をコントロールするエアコンディショナ機能を内蔵させているため、狭い空間にいながら無限の空間を手にすることができるほか、快適な生活環境を有することができる。また、手元には情報入力装置があり、画像、オーディオの入力設定（入力ソース、オン時間、オフ時間、明るさ、音量等々）やエアコンディショナの条件を設定できるほか、当然マニュアルでも操作が可能である。
また、たとえばインタネット情報を活用することで、自分の家の窓から様々な都市の風景をリアルタイムで楽しむことができる。
また、表示部、音出部が生活スペースに溶け込んでいるため、違和感が無い。
また、設定画像のオン／オフとカーテン開閉をリンクさせることで省エネとリアリティを両立させることができる。
また、プライオリティ機能を活用することで日常生活をより機能的に過ごすことができる。
また、エアコン機能内蔵化により部屋の生活環境をより向上でき、窓枠の開閉度合いでエアコンの風量等を可変できることで、よりリアリティを高めることができる。
【図面の簡単な説明】
【００８２】
【図１】本発明に係るエンタテインメントシステムの概念を示す図である。
【図２】本発明に係るエンタテイメントシステム装置の駆動制御系の一実施形態を示すブロック構成図である。
【図３】ＴＶ受信回路の構成例を示すブロック図である。
【図４】ビデオ（Ｖｉｄｅｏ）再生回路の構成例を示すブロック図である。
【図５】ビデオ（Ｖｉｄｅｏ）記録信号と周波数の関係を示す図である。
【図６】ＤＶＤ再生回路の構成例を示すブロック図である。
【図７】画像／オーディオ入力端子のイメージ図である。
【図８】ＣＡＴＶインタネットアクセス用途のＳＴＢ（セットトップボックス）の基本構成を示すブロック図である。
【図９】本実施形態に係る情報入力装置の表示デバイスへの表示例を示す図である。
【図１０】本実施形態に係るメインコントローラ、および画像／オーディオセレクタ回路の具体的な構成例を示す図である。
【図１１】画像セレクト入力信号Ｖ２，Ｖ１，Ｖ０およびプライオリティパルスと画像出力の選択の対応関係を示す図である。
【図１２】オーディオセレクト入力信号Ａ２，Ａ１，Ａ０およびプライオリティパルスと音声出力の選択の対応関係を示す図である。
【図１３】本実施形態に係る画像信号処理表示部の具体的な構成例を示すブロック図である。
【図１４】本実施形態に係る窓枠における開閉度合検出部の一例を示す図である。
【図１５】図１４の開閉度合検出部の動作を説明するためのフローチャートである。
【図１６】本実施形態の動作を説明するためのタイミングチャートである。
【符号の説明】
【００８３】
１００…エンタテイメントシステム装置、１０１…情報入力装置、１０２…メインコントローラ、１０３…画像／オーディオセレクタ回路、１０４…画像／オーディオ記録再生装置、１０５…画像信号処理表示部、１０６…オーディオ信号処理放音部、１０７…窓枠、１０８…カーテン開閉駆動部、１０９…カーテン、１１０…エアコンディショナ機能。
【図１】
2005210169.tif 000003
【図２】
2005210169.tif 000004
【図３】
2005210169.tif 000005
【図４】
2005210169.tif 000006
【図５】
2005210169.tif 000007
【図６】
2005210169.tif 000008
【図７】
2005210169.tif 000009
【図８】
2005210169.tif 000010
【図９】
2005210169.tif 000011
【図１０】
2005210169.tif 000012
【図１１】
2005210169.tif 000013
【図１２】
2005210169.tif 000014
【図１３】
2005210169.tif 000015
【図１４】
2005210169.tif 000016
【図１５】
2005210169.tif 000017
【図１６】
2005210169.tif 000018